(57)【要約】【課題】回転ブラシの水切に際し、周辺機器の作動不良を回避し、ブラシ磨耗も防止すること。【解決手段】トップブラシ２１とトップノズル３１を有してなる洗車機１０において、トップノズル３１の吹出し口３１Ａをトップブラシ２１に向けて空気を吹出すとともに、トップブラシ２１をブラッシング処理工程時よりも低速回転で回転し、トップブラシ２１に付着した水を除去するブラシ水切工程を有するもの。【選択図】　図２
2004058708.tif 000002
【特許請求の範囲】
【請求項１】
車両をブラッシング処理する回転ブラシと、車両を乾燥処理する送風手段を有してなる洗車機のブラシ水切方法において、
送風手段の吹出し口を回転ブラシに向けて空気を吹出すとともに、回転ブラシをブラッシング処理工程時よりも低速回転で回転し、回転ブラシに付着した水を除去するブラシ水切工程を有することを特徴とする洗車機のブラシ水切方法。
【請求項２】
前記ブラシ水切工程を、ブラッシング処理工程の後、乾燥処理工程の前に行なう請求項１に記載の洗車機のブラシ水切方法。
【請求項３】
前記ブラシ水切工程を、配管類の水抜き工程に続いて行なう請求項１に記載の洗車機のブラシ水切方法。
【発明の詳細な説明】
【０００１】
【発明の属する技術分野】
本発明は洗車機のブラシ水切方法に関する。
【０００２】
【従来の技術】
寒冷地用洗車機では、回転ブラシの洗車中における回転停止時や、洗車後の待機時に、回転ブラシに付着した水の凍結を防ぎ、回転ブラシが洗車機のフレームや周辺機器に氷結したり、凍結した回転ブラシが次洗車対象車両の表面を傷つけることを防止する必要がある。このため、従来技術では、ブラッシング処理工程の終了時、又は配管類の水抜き工程の終了時に、回転ブラシを高速回転し、回転ブラシに付着した水を遠心力により飛散除去することが考えられる。
【０００３】
【発明が解決しようとする課題】
しかしながら、従来技術には以下の問題点がある。
▲１▼回転ブラシの高速回転により遠心力によって四方に飛散する水が、乾燥用ノズルの昇降機構やチルト機構等の周辺機器に付着した後に凍結し、周辺機器の作動不良を招く。また、周辺機器に付着した飛散水が後だれして車両の表面に滴下して乾燥効果を損なう。
【０００４】
▲２▼洗車機の高さや巾は輸送寸法上の制限下にあり、回転ブラシは待機位置でフレームや周辺機器に近接配置されることを余儀なくされているため、回転ブラシの高速回転により遠心力によって外方に張り出たブラシ先端がフレームや周辺機器に擦過してブラシ磨耗を促進し、回転ブラシの寿命を縮める。
【０００５】
本発明の課題は、回転ブラシの水切に際し、周辺機器の作動不良を回避し、ブラシ磨耗も防止することにある。
【０００６】
【課題を解決するための手段】
請求項１の発明は、車両をブラッシング処理する回転ブラシと、車両を乾燥処理する送風手段を有してなる洗車機のブラシ水切方法において、送風手段の吹出し口を回転ブラシに向けて空気を吹出すとともに、回転ブラシをブラッシング処理工程時よりも低速回転で回転し、回転ブラシに付着した水を除去するブラシ水切工程を有するようにしたものである。
【０００７】
請求項２の発明は、請求項１の発明において更に、前記ブラシ水切工程を、ブラッシング処理工程の後、乾燥処理工程の前に行なうようにしたものである。
【０００８】
請求項３の発明は、請求項１の発明において更に、前記ブラシ水切工程を、配管類の水抜き工程に続いて行なうようにしたものである。
【０００９】
【作用】
請求項１の発明によれば下記▲１▼の作用がある。
▲１▼回転ブラシは水切工程で低速回転するものであり、水を四方に飛散させない。そして、送風機の吹出し口の向きの設定により、水の吹飛ばし方向を、乾燥用ノズルの移動機構やチルト機構等の周辺機器から外れた床面等の一定方向に向けることができる。従って、回転ブラシから除去された水が周辺機器にかかりにくく、周辺機器の二次的な凍結を防ぎ、周辺機器の作動不良を回避する。また、ブラシに付着している水が一定方向かつ下側にのみ飛散して周辺機器に付着しにくく、周辺機器からの後だれを少なくすることができ、車両の乾燥効果を向上する。
【００１０】
▲２▼回転ブラシは水切工程で低速回転するものであり、ブラシ先端が遠心力により外方に張り出ることがない。このため、回転ブラシが待機位置で水切回転されるとき、ブラシ先端がフレームや周辺機器に擦過してブラシ磨耗を促進することがなく、回転ブラシの寿命を縮めることがない。
【００１１】
請求項２の発明によれば下記▲３▼の作用がある。
▲３▼ブラシ水切工程を、ブラッシング処理工程の後、乾燥処理工程の前に行なうことにより、乾燥工程中に回転ブラシから車両の表面に水滴が滴下して乾燥効果を阻害することがない。また、回転ブラシに付着した水の凍結を防止し、回転ブラシが洗車機のフレームや周辺機器に氷結したり、凍結した回転ブラシが次洗車対象車両の表面を傷つけることを防止できる。
【００１２】
請求項３の発明によれば下記▲４▼の作用がある。
▲４▼ブラシ水切工程を、配管類の水抜き工程に続いて行なうことにより、回転ブラシに付着した水の凍結を防止し、回転ブラシが洗車機のフレームや周辺機器に氷結したり、凍結した回転ブラシが次洗車対象車両の表面を傷つけることを防止できる。
【００１３】
【発明の実施の形態】
図１は洗車機を示す正面図、図２は第１実施形態を示す模式図、図３は第２実施形態を示す模式図、図４は第３実施形態を示す模式図である。
【００１４】
（第１実施形態）（図１、図２）
洗車機１０は、図１、図２に示す如く、左右のレール１１上を往復走行することにて、両レール１１の間の床面上に停車させた車両（自動車）１（不図示）に沿って移動する門型走行フレーム１２を有し、このフレーム１２にトップブラシ２１、サイドブラシ２２、トップノズル３１、サイドノズル３２を備える。
【００１５】
トップブラシ２１とサイドブラシ２２は、車両をブラッシング処理する回転ブラシを構成し、それらの回転軸の周囲にブラシを植毛して構成される。洗車機１０は、清水供給管やワックス供給管等の配管類をフレーム１２に備え、清水やワックスの供給下で、トップブラシ２１とサイドブラシ２２をフレーム１２に近接する待機位置から車両１の側に移動し、トップブラシ２１の回転により車両１の上面を、サイドブラシ２２の回転により車両１の側面をブラッシング洗浄する。
【００１６】
トップノズル３１とサイドノズル３２は、ブラッシング処理された車両１を乾燥処理する送風手段を構成し、トップノズル３１とサイドノズル３２をフレーム１２に近接する待機位置から車両１の側に移動し、それらの吹出し口３１Ａ、３２Ａを車両１の表面に対する適宜の角度にチルトして傾け、トップノズル３１が吹出す圧縮空気を車両１の上面に吹付けてこれを乾燥し、サイドノズル３２が吹出す圧縮空気を車両１の側面に吹付けてこれを乾燥する。
【００１７】
洗車機１０は、トップブラシ２１とサイドブラシ２２の移動装置、トップノズル３１とサイドノズル３２の移動装置、トップノズル３１とサイドノズル３２のチルト装置等の周辺機器をフレーム１２に備える。
【００１８】
洗車機１０は、外気温センサを備え、外気温が一定温度以下に低下したとき、清水供給管やワックス供給管等の配管類の凍結を防止するため、それらの配管類の水抜きを行なう水抜き装置を備える。配管類から水抜きされた水の飛沫は、トップブラシ２１やサイドブラシ２２に付着する。
【００１９】
洗車機１０は、洗車制御装置を有し、トップブラシ２１とサイドブラシ２２を制御してブラッシング処理し、トップノズル３１とサイドノズル３２を制御して乾燥処理し、水抜き装置を制御して配管類の水抜きを行なう。
【００２０】
洗車機１０の洗車制御装置は、下記（Ａ）、（Ｂ）のブラシ水切動作を行なう。
（Ａ）ブラッシング処理工程の後、乾燥処理工程の前に行なうブラシ水切工程
【００２１】
▲１▼トップノズル３１の吹出し口３１Ａを、待機位置（上昇端位置）にあるトップブラシ２１に向ける。吹出し口３１Ａは、空気吹出し方向がトップブラシ２１の中心の少し下（トップブラシ２１の回転軸より洗車機１０の床面寄り）に対し、斜め下向きとなる方向（水切効果の最も良くなる方向）にチルトされる（図２（Ａ）、（Ｂ））。
【００２２】
▲２▼トップノズル３１の送風機を駆動し、吹出し口３１Ａからトップブラシ２１に向けて圧縮空気を吹出し、トップブラシ２１に付着した水を吹飛ばし除去する。
【００２３】
▲３▼トップブラシ２１に付着した水をくまなく除去するため、トップブラシ２１をブラッシング処理工程におけるよりも低速回転で回転する。
▲４▼上述▲２▼、▲３▼を一定時間行なう。
【００２４】
（Ｂ）配管類の水抜き工程の後に行なうブラシ水切工程
上述（ａ）の▲１▼〜▲４▼と同じ。
【００２５】
本実施形態によれば以下の作用がある。
▲１▼トップブラシ２１は水切工程で低速回転するものであり、水を四方に飛散させない。そして、トップノズル３１の吹出し口３１Ａの向きの設定により、水の吹飛ばし方向を、トップノズル３１の移動機構やチルト機構等の周辺機器から外れた床面等の一定方向に向けることができる。従って、トップブラシ２１から除去された水が周辺機器にかかりにくく、周辺機器の二次的な凍結を防ぎ、周辺機器の作動不良を回避する。また、トップブラシ２１に付着している水が一定方向かつ下側にのみ飛散して周辺機器に付着しにくく、周辺機器からの後だれを少なくすることができ、車両１の乾燥効果を向上する。
【００２６】
▲２▼トップブラシ２１は水切工程で低速回転するものであり、ブラシ先端が遠心力により外方に張り出ることがない。このため、トップブラシ２１が待機位置で水切回転されるとき、ブラシ先端がフレーム１２や周辺機器に擦過してブラシ磨耗を促進することがなく、トップブラシ２１の寿命を縮めることがない。
【００２７】
▲３▼ブラシ水切工程を、ブラッシング処理工程の後、乾燥処理工程の前に行なうことにより、乾燥工程中にトップブラシ２１から車両１の表面に水滴が滴下して乾燥効果を阻害することがない。また、トップブラシ２１に付着した水の凍結を防止し、トップブラシ２１が洗車機１０のフレーム１２や周辺機器に氷結したり、凍結したトップブラシ２１が次洗車対象車両１の表面を傷つけることを防止できる。
【００２８】
▲４▼ブラシ水切工程を、配管類の水抜き工程に続いて行なうことにより、トップブラシ２１に付着した水の凍結を防止し、トップブラシ２１が洗車機１０のフレーム１２や周辺機器に氷結したり、凍結したトップブラシ２１が次洗車対象車両１の表面を傷つけることを防止できる。
【００２９】
（第２実施形態）（図３）
第２実施形態では、第１実施形態の（Ａ）、（Ｂ）において、トップブラシ２１を待機位置（上昇端位置）から水切に最適となる位置まで下降させ、ブラシ水切工程を行なうものである。トップブラシ３１の吹出し口３１Ａは、トップブラシ２１に対し下降、かつ第１実施形態におけると同様にチルトされ、空気吹出し方向が水切効果の最も良くなる方向に設定される。
【００３０】
（第３実施形態）（図４）
第３実施形態では、第１実施形態の（Ａ）、（Ｂ）において、サイドノズル３２を用いてサイドブラシ２２の水切も以下の如くにして行なうものである。
【００３１】
▲１▼サイドノズル３２の吹出し口３２Ａを待機位置にあるサイドブラシ２２に向ける。吹出し口３２Ａは、空気吹出し方向がサイドブラシ２２の中心の少し横方（サイドブラシ２２の回転軸より洗車機１０の中央寄り）に対し、斜め横向き（洗車機１０の中央寄り（内側）向き、又は洗車機１０の反中央寄り（外側）向き）となる方向（水切効果の最も良くなる方向）にチルトされる。
【００３２】
▲２▼サイドノズル３２の送風機を駆動し、吹出し口３２Ａからサイドブラシ２２に向けて圧縮空気を吹出し、サイドブラシ２２に付着した水を吹飛ばし除去する。
【００３３】
▲３▼サイドブラシ２２に付着した水をくまなく除去するため、サイドブラシ２２をブラッシング処理工程におけるよりも低速回転で回転する。
【００３４】
▲４▼上述▲２▼、▲３▼を一定時間行なう。
尚、第１実施形態、第３実施形態では、回転ブラシを待機位置に置いたまま水切処理でき、水切処理後にその回転ブラシを待機位置に再設定する必要がなく、洗車機の生産性を向上できる。
【００３５】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００３６】
【発明の効果】
以上のように本発明によれば、回転ブラシの水切に際し、周辺機器の作動不良を回避し、ブラシ磨耗も防止することができる。本発明は、寒冷地仕様以外の洗車機においても適用できる。
【図面の簡単な説明】
【図１】図１は洗車機を示す正面図である。
【図２】図２は第１実施形態を示す模式図である。
【図３】図３は第２実施形態を示す模式図である。
【図４】図４は第３実施形態を示す模式図である。
【符号の説明】
１０　洗車機
２１　トップブラシ（回転ブラシ）
２２　サイドブラシ（回転ブラシ）
３１　トップノズル（送風手段）
３１Ａ　吹出し口
３２　サイドノズル（送風手段）
３２Ａ　吹出し口
【図１】
2004058708.tif 000003
【図２】
2004058708.tif 000004
【図３】
2004058708.tif 000005
【図４】
2004058708.tif 000006